【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、営業エリア毎に所定の配分で金額情報をチャージするチャージ手段と、
を備えたことを特徴とするＩＣカード処理装置。
【請求項２】  
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、営業エリア毎に均等割りした配分で金額情報をチャージするチャージ手段と、
を備えたことを特徴とするＩＣカード処理装置。
【請求項３】  
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、当該ＩＣカード処理装置の設置場所を含む営業エリアに対して優先的な配分で金額情報をチャージするチャージ手段と、
を備えたことを特徴とするＩＣカード処理装置。
【請求項４】  
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、前記読み書き手段により前記ＩＣカードから定期乗車区間に関する情報を読み取り、この定期乗車区間が含まれる営業エリアに対して優先的な配分で金額情報をチャージするチャージ手段と、
を備えたことを特徴とするＩＣカード処理装置。
【請求項５】  
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、前記読み書き手段により前記ＩＣカードから利用履歴情報を読み取り、この利用履歴情報に基づき各営業エリアに対してチャージする金額情報の配分を決定し、各営業エリアに対して決定された配分の金額情報をチャージするチャージ手段と、
を備えたことを特徴とするＩＣカード処理装置。
【請求項６】  
複数社が管轄する複数営業エリアを利用可能なＩＣカードに対して、所定の金額情報をチャージするＩＣカード処理装置であって、
前記ＩＣカードからのデータの読み取り、及び前記ＩＣカードに対するデータの書き込みを行なう読み書き手段と、
前記読み書き手段により前記ＩＣカードに対して所定の金額情報をチャージするとき、前記読み書き手段により前記ＩＣカードから読み取られる利用履歴情報から判明する所定期間内における利用頻度が所定回数以上の実質的に利用されている営業エリア毎に所定の配分で金額情報をチャージするとともに、所定期間内における利用頻度が所定回数未満の営業エリアに対して既にチャージされている金額情報を実質的に利用されている営業エリア毎に所定の配分でチャージするチャージ手段と、
を備えたことを特徴とするＩＣカード処理装置。
【請求項７】  
複数社が管轄する複数営業エリアを利用可能で且つ営業エリア毎に金額情報がチャージされたＩＣカードに基づき改札処理を行なう自動改札装置であって、
前記ＩＣカードからのデータの読み取り、及び前記ＩＣカードに対するデータの書き込みを行なう読み書き手段と、
前記読み書き手段により前記ＩＣカードから読み取られるデータに基づき判明する各営業エリアの利用に応じた各営業エリアで必要な金額を、前記読み書き手段により前記ＩＣカードから読み取られる営業エリア毎にチャージされた金額情報に基づき精算する精算手段と、
前記精算手段による精算結果に基づき所定の改札処理を実行する改札手段と、
を備えたことを特徴とする自動改札装置。
【請求項８】  
複数社が管轄する複数営業エリアを利用可能で且つ営業エリア毎に金額情報がチャージされたＩＣカードに基づき改札処理を行なう自動改札装置であって、
前記ＩＣカードからのデータの読み取り、及び前記ＩＣカードに対するデータの書き込みを行なう読み書き手段と、
前記読み書き手段により前記ＩＣカードから読み取られるデータに基づき判明する各営業エリアの利用に応じた各営業エリアで必要な金額を、前記読み書き手段により前記ＩＣカードから読み取られる営業エリア毎にチャージされた金額情報に基づき精算する精算手段と、
前記読み書き手段により前記ＩＣカードに対して利用履歴を書き込み、所定の改札処理を行なう改札手段と、
を備えたことを特徴とする自動改札装置。
【請求項９】  
複数社が管轄する複数営業エリアを利用可能で且つ営業エリア毎に金額情報がチャージされたＩＣカードに基づき改札処理を行なう自動改札装置であって、
前記ＩＣカードからのデータの読み取り、及び前記ＩＣカードに対するデータの書き込みを行なう読み書き手段と、
前記読み書き手段により前記ＩＣカードから読み取られるデータに基づき判明する各営業エリアの利用に応じた各営業エリアで必要な金額を、前記読み書き手段により前記ＩＣカードから読み取られる営業エリア毎にチャージされた金額情報に基づき精算する第１の精算手段と、
前記第１の精算手段による精算処理において、所定の営業エリアで必要な金額を所定の営業エリア用にチャージされた金額情報だけで精算しきれない場合、暫定的に他の営業エリア用にチャージされた金額情報を利用して精算する第２の精算手段と、
前記第１及び第２の精算手段による精算結果に基づき所定の改札処理を実行する改札手段と、
を備えたことを特徴とする自動改札装置。
【請求項１０】  
複数社が管轄する複数営業エリアを利用可能で且つ営業エリア毎に金額情報がチャージされたＩＣカードに基づき改札処理を行なう自動改札装置であって、
前記ＩＣカードからのデータの読み取り、及び前記ＩＣカードに対するデータの書き込みを行なう読み書き手段と、
前記読み書き手段により前記ＩＣカードから読み取られるデータに基づき判明する各営業エリアの利用に応じた各営業エリアで必要な金額を、前記読み書き手段により前記ＩＣカードから読み取られる営業エリア毎にチャージされた金額情報に基づき精算する精算手段と、
前記読み書き手段により前記ＩＣカードから読み取られる利用履歴情報に基づき今回の利用で所定区間の利用回数が所定回数に到達したことが判明したとき、この所定区間の利用で必要な金額を無料として前記精算手段による精算処理を実行させる精算処理制御手段と、
前記読み書き手段により前記ＩＣカードに対して、今回の利用で所定区間の利用回数が所定回数に到達したことを示す情報を含む利用履歴を書き込み、所定の改札処理を行なう改札手段と、
を備えたことを特徴とする自動改札装置。
【請求項１１】  
複数社が管轄する複数営業エリアを利用可能なＩＣカードからデータを読み取り、
前記ＩＣカードに対する所定の金額情報の支払いに基づき、営業エリア毎に所定の配分で金額情報をチャージする、
ことを特徴とするＩＣカード処理方法。